(57)【特許請求の範囲】
【請求項１】
入力信号に基づいて振動板を振動させて装着者の耳に向けて音を発信するスピーカユニットを備えたヘッドホンにおいて、
前記スピーカユニットは、第１振動板を有する第１スピーカユニットと、第２振動板を有する第２スピーカユニットとを備えて構成され、
装着者の左右の耳を結ぶ基準線より後方に配置されて装着者より後方の後方周囲音を収音して後方入力信号を生成する後方収音マイクが設けられ、
前記第１スピーカユニットでは、前記第１振動板が外部機器から入力される外部入力信号に基づいて外部機器音を発信するように構成され、
前記第１振動板は、前記外部機器音を発信する方向を示す第１ベクトルが、前記基準線に対して前方向き又は同一方向に延びるように配置され、
前記第２スピーカユニットでは、前記第２振動板が前記後方収音マイクから入力される後方入力信号に基づいて後方周囲音を発信するように構成され、
前記第２振動板は、前記後方周囲音を発信する方向を示す第２ベクトルが、前記基準線に対して後方向きに延びるように配置されていることを特徴とするヘッドホン。
【請求項２】
請求項１に記載されたヘッドホンにおいて、
前記後方収音マイクによって収音された後方周囲音の音量が所定値以上であるか否かを判断する音量判断装置が設けられていて、
前記第２スピーカユニットは、前記音量判断装置によって前記後方周囲音の音量が所定値以上であると判断されたとき、前記第２振動板から警告音を発信することを特徴とするヘッドホン。
【請求項３】
請求項２に記載されたヘッドホンにおいて、
前記第１スピーカユニットは、前記音量判断装置によって前記後方周囲音の音量が所定値以上であると判断されたとき、前記第１振動板が発信する外部機器音の音量を前記第２振動板が発信する警告音の音量より、小さくすることを特徴とするヘッドホン。
【請求項４】
請求項１乃至請求項３の何れかに記載されたヘッドホンにおいて、
前記スピーカユニットは、第３振動板を有する第３スピーカユニットを備え、
前記基準線上又は前記基準線近傍に配置されて装着者の側方近傍の側方周囲音を収音して側方入力信号を生成する側方収音マイクが設けられ、
前記第３スピーカユニットでは、前記第３振動板が前記側方収音マイクから入力される側方入力信号に基づいて側方周囲音を発信するように構成され、
前記第３振動板は、前記側方周囲音を発信する方向を示す第３ベクトルが、前記第１ベクトルより後方向きで且つ前記第２ベクトルより前方向きに延びるように配置されていることを特徴とするヘッドホン。
【発明の詳細な説明】
【技術分野】
【０００１】
本発明は、装着者の耳に向けて音を発信するスピーカユニットを備えたヘッドホンに関し、特に、装着者が音楽等の聴くべき音を聴きつつ、歩行等のその他の作業を安全に行うことができるヘッドホンに関する。
【背景技術】
【０００２】
近年、携帯型音楽プレーヤの普及に伴いヘッドホンも広く普及していて、装着者の周囲のノイズ（環境雑音）をキャンセルしつつ、高音質の音楽を聴くことができるノイズキャンセルヘッドホンが広く使用されている。このようなノイズキャンセルヘッドホンは、例えば下記特許文献１に記載されていて、図５に、このノイズキャンセルヘッドホンの機能ブロック図を示す。
【０００３】
図５に示したように、ノイズキャンセルヘッドホンでは、先ず、マイクユニットが、装着者の周囲のノイズを収音して電気信号に変換し、アンプがマイクユニットから入力された電気信号を増幅する。次いで、Ａ／Ｄ変換器が電気信号をデジタル信号に変換し、デジタル信号処理装置がこのデジタル信号に基づいてキャンセル信号を生成して出力する。続いて、Ｄ／Ａ変換器がキャンセル信号を電気信号に変換し、ミキサが外部機器から供給される音楽信号とＤ／Ａ変換器から供給されるキャンセル信号とを混合する。この結果、混合された信号では、ノイズがキャンセル信号によって打ち消され、スピーカが、混合された信号に基づいて振動する。こうして、装着者は、周囲のノイズを感じることなく、音楽を聴くことができるようになっている。
【先行技術文献】
【特許文献】
【０００４】
【特許文献１】特開２０１１−４０８３１号公報
【発明の概要】
【発明が解決しようとする課題】
【０００５】
しかしながら、ノイズキャンセルヘッドホンでは以下の問題点がある。即ち、装着者は音楽を聴くことに集中するため、実際には車両が近づいてくる音等の聞くべき周囲の音（以下、「周囲音」と呼ぶ）が生じているにも関わらず、装着者は周囲音が発生している状況に気付かないことがある。特に、装着者は、前方から車両が近づいてくることを視覚によって認識できるが、視界の外である後方から車両が近づいてくることを視覚及び聴覚によって認識することができない。このため、ノイズキャンセルヘッドホンを装着して音楽を聴きながら、歩行等を安全に行うことが難しいという問題点がある。
【０００６】
また、工場や工事現場等では、作業機が大きな音を発するため、作業者が聴覚を保護するためにヘッドホンを装着する場合がある。この場合、ヘッドホンを装着した装着者（作業者）は、ヘッドホンを介して伝わる無線通信の指示（音声）によって作業を行うが、作業に集中することによって構内車業者や他の作業者が近づいてくる音等の周囲音に全く気付かなくなって、構内作業車や他の作業者と接触する危険性がある。こうして、従来では、ヘッドホンを装着した装着者は、聴くべき音（音楽、無線通信の指示等）を聴きつつ、その他の作業（歩行、工場や工事現場の作業）を安全に行うことができなかった。
【０００７】
そこで、本発明は、上記した課題を解決すべく、ヘッドホンを装着した装着者が聴くべき音を聴きつつ、その他の作業を安全に行うことができるヘッドホンを提供することを目的とする。
【課題を解決するための手段】
【０００８】
（１）本発明に係るヘッドホンは、入力信号に基づいて振動板を振動させて装着者の耳に向けて音を発信するスピーカユニットを備えたものであって、前記スピーカユニットは、第１振動板を有する第１スピーカユニットと、第２振動板を有する第２スピーカユニットとを備えて構成され、装着者の左右の耳を結ぶ基準線より後方に配置されて装着者より後方の後方周囲音を収音して後方入力信号を生成する後方収音マイクが設けられ、前記第１スピーカユニットでは、前記第１振動板が外部機器から入力される外部入力信号に基づいて外部機器音を発信するように構成され、前記第１振動板は、前記外部機器音を発信する方向を示す第１ベクトルが、前記基準線に対して前方向き又は同一方向に延びるように配置され、前記第２スピーカユニットでは、前記第２振動板が前記後方収音マイクから入力される後方入力信号に基づいて後方周囲音を発信するように構成され、前記第２振動板は、前記後方周囲音を発信する方向を示す第２ベクトルが、前記基準線に対して後方向きに延びるように配置されていることを特徴とする。
【０００９】
（２）（１）に記載されたヘッドホンにおいて、前記後方収音マイクによって収音された後方周囲音の音量が所定値以上であるか否かを判断する音量判断装置が設けられていて、前記第２スピーカユニットは、前記音量判断装置によって前記後方周囲音の音量が所定値以上であると判断されたとき、前記第２振動板から警告音を発信することが好ましい。
（３）（２）に記載されたヘッドホンにおいて、前記第１スピーカユニットは、前記音量判断装置によって前記後方周囲音の音量が所定値以上であると判断されたとき、前記第１振動板が発信する外部機器音の音量を前記第２振動板が発信する警告音の音量より、小さくすることが好ましい。
【００１０】
（４）（１）乃至（３）の何れかに記載されたヘッドホンにおいて、前記スピーカユニットは、第３振動板を有する第３スピーカユニットを備え、前記基準線上又は前記基準線近傍に配置されて装着者の側方近傍の側方周囲音を収音して側方入力信号を生成する側方収音マイクが設けられ、前記第３スピーカユニットでは、前記第３振動板が前記側方収音マイクから入力される側方入力信号に基づいて側方周囲音を発信するように構成され、前記第３振動板は、前記側方周囲音を発信する方向を示す第３ベクトルが、前記第１ベクトルより後方向きで且つ前記第２ベクトルより前方向きに延びるように配置されていることが好ましい。
【発明の効果】
【００１１】
上記構成（１）では、第１スピーカユニットが、外部機器から入力される外部入力信号に基づいて第１振動板を振動させ、第２スピーカユニットが、後方収音マイクから入力される後方入力信号に基づいて第２振動板を振動させる。これにより、ヘッドホンを装着した装着者は、外部機器音を聴くとともに、後方周囲音を聴くことになる。ところで、第１振動板は、外部機器音を発信する方向を示す第１ベクトルが基準線に対して前方向き又は同一方向に延びるように配置されているのに対して、第２振動板は、後方周囲音を発信する方向を示す第２ベクトルが基準線に対して後方向きに延びるように配置されている。このため、装着者は、外部機器音が前方側又は真横（正面側）から発信されたように聴こえ、後方周囲音が後方側（背面側）から発信されたように聴こえる。従って、装着者は、外部機器音と後方周囲音とを明確に聴き分けることができて、視界の外である後方から例えば車両、構内作業車、他の作業者等が近づいてくることを認識することができる。従って、装着者は、聴くべき音（音楽、無線通信の指示等）を聴きつつ、その他の作業（歩行、工場や工事現場の作業）を安全に行うことができる。
【００１２】
上記構成（２）では、後方収音マイクで収音された後方周囲音の音量が所定値以上であるとき、装着者は、警告音が後方側から発信されたように聴こえる。これにより、危険が差し迫っている状態を装着者に確実に知らせることができる。
上記構成（３）では、後方収音マイクで収音された後方周囲音の音量が所定値以上であるとき、外部機器音の音量が警告音の音量より小さくなる。これにより、装着者は警告音が聴き易くなり、より確実に装着者に注意を促すことができる。
【００１３】
上記構成（４）では、装着者は、外部機器音、側方周囲音、後方周囲音が、前方側、側方、後方側からそれぞれ発信されたように聴こえる。このため、装着者は、後方から車両等が近づいてきた場合だけでなく、視界の外である横方向から車両等が近づいてきても、側方（真横）近傍の側方周囲音を認識することができ、より安全に作業を行うことができる。
【図面の簡単な説明】
【００１４】
【図１】第１実施形態のヘッドホンを装着した装着者を上方から見たときの図である。
【図２】図１に示した右側のスピーカボックスを平面状に切ったときの断面図である。
【図３】（Ａ）（Ｂ）（Ｃ）の場合において第１振動板の配置を説明するための図である。
【図４】第２実施形態の右側のスピーカボックスを平面状に切ったときの断面図である。
【図５】ノイズキャンセルヘッドホンの機能ブロック図である。
【発明を実施するための形態】
【００１５】
本発明に係るヘッドホンについて、図面を参照しながら以下に説明する。図１は、本実施形態のヘッドホン１を装着した装着者Ｓを上方から見たときの図である。図１では、装着者Ｓより図１の上側が装着者Ｓの前方であり、装着者Ｓより図１の右側及び左側が、装着者Ｓの側方であり、装着者Ｓより図１の下側が装着者Ｓの後方である。本実施形態では、装着者Ｓが、ヘッドホン１を装着して音楽プレーヤＯＰで音楽を聴きながら歩行している場合について説明する。
【００１６】
ヘッドホン１は、図１に示したように、装着者Ｓの左右の耳Ｅを覆う左右一対のスピーカボックス１０Ｌ，１０Ｒと、これらスピーカボックス１０Ｌ，１０Ｒを図示しないハンガーを介して回転可能に支持しているヘッドバンド２０とを備えている。スピーカボックス１０Ｌ，１０Ｒは、装着者Ｓの耳Ｅに当接して装着者Ｓに音を提供するものである。ヘッドバンド２０は、装着者Ｓがヘッドホン１を装着した場合に、その弾性力により左右のスピーカボックス１０Ｌ，１０Ｒを装着者Ｓの側頭部に密着させるものである。ここで、図２は、図１に示した右側のスピーカボックス１０Ｒを平面状に切ったときの断面図である。
【００１７】
右側のスピーカボックス１０Ｒは、図２に示したように、イヤーパッド１１と、このイヤーパッド１１を支持するバッフル板１２と、このバッフル板１２に開口部分が組付けられたハウジング１３と、バッフル板１２に支持されている第１スピーカユニットＳＰ１及び第２スピーカユニットＳＰ２と、ハウジング１３の内部に配置された後方収音マイク１４及び音声入力ジャック１５とを備えて構成されている。なお、右側のスピーカボックス１０Ｒの構成は、左側のスピーカボックス１０Ｌの構成と実質的に同一であるため、右側のスピーカボックス１０Ｒの構成について説明し、左側のスピーカボックス１０Ｌの構成の説明については省略する。
【００１８】
イヤーパッド１１は、装着者Ｓの装着感を向上させるものである。このイヤーパッド１１は、円環状に形成されていて、スポンジのような弾性部材とこの弾性部材の外周面を覆う表皮材とを有している。装着者Ｓの耳Ｅは、このイヤーパッド１１の環状孔１１ａに囲まれるようになっている。
【００１９】
バッフル板１２は、イヤーパッド１１、ハウジング１３、スピーカユニットＳＰ１、及び第２スピーカユニットＳＰ２を支持するものである。バッフル板１２は、円環状に形成されていて、イヤーパッド１１の環状孔１１ａに連通する開口部１２ａを有している。
【００２０】
ハウジング１３は、スピーカユニットＳＰ１、第２スピーカユニットＳＰ２、後方収音マイク１４等の電子機器を覆って保護するものである。このハウジング１３は、有底筒状に形成されていて、合成樹脂材で構成されている。ハウジング１３の後方側の側壁１３ａには、後方収音マイク１４が組付けられていて、後方収音マイク１４が収音し易くなるように貫通孔１３ｂが形成されている。
【００２１】
後方収音マイク１４は、装着者Ｓの周囲で生じている音（以下、「周囲音」と呼ぶ）を収音するものである。この後方収音マイク１４は、装着者Ｓの左右の耳Ｅを結ぶ基準線ＫＳ（厳密には、装着者Ｓの左右の耳Ｅの鼓膜を結ぶ線）より後方に配置されていて、特に、装着者Ｓより後方で生じている後方周囲音を収音するようになっている。ここで、後方周囲音とは、例えば装着者Ｓの背後に近づく車両や自転車の走行音等である。後方収音マイク１４は、収音した後方周囲音に基づいて後方入力信号を生成し、この後方入力信号を第２スピーカユニットＳＰ２に出力するようになっている。
【００２２】
音声入力ジャック１５は、音楽プレーヤＯＰと接続するための端子である。この音声入力ジャック１５には、音楽プレーヤＯＰの音声入力プラグが挿入されて結合している。これにより、音楽プレーヤＯＰから出力された音楽信号（電気信号）が、音声入力ジャック１５を介して第１スピーカユニットＳＰ１に入力されるようになっている。この音楽信号が、本発明の外部機器から入力される外部入力信号に相当する。
【００２３】
第１スピーカユニットＳＰ１は、空気の振動によって音を発生するものである。この第１スピーカユニットＳＰ１は、基準線ＫＳより前方に配置されていて、ドーム状の第１振動板１６と、第１振動板１６に巻き付いているボイスコイル１７と、磁界を形成する図示しないマグネットとを有している。この第１スピーカユニットＳＰ１では、音声入力ジャック１５から入力された音楽信号に基づいてボイスコイル１７に電流が流れると、第１振動板１６が波打つように振動する。これにより、第１振動板１６が、装着者Ｓの耳に向けて外部機器音（音楽プレーヤＯＰの音楽）を発信するようになっている。
【００２４】
第２スピーカユニットＳＰ２は、空気の振動によって音を発生するものである。この第２スピーカユニットＳＰ２は、基準線ＫＳより後方に配置されていて、ドーム状の第２振動板１８と、第２振動板１８に巻き付いているボイスコイル１９と、磁界を形成する図示しないマグネットとを有している。この第２スピーカユニットＳＰ２では、後方収音マイク１４から入力された後方入力信号に基づいてボイスコイル１９に電流が流れると、第２振動板１８が波打つように振動する。これにより、第２振動板１８が、装着者Ｓの耳に向けて後方周囲音を発信するようになっている。
【００２５】
ところで、装着者Ｓは、図１に示したように、耳Ｅがヘッドホン１（スピーカボックス１０Ｒ，１０Ｌ）で覆われるため、従来のヘッドホンでは周囲音が聴き難い。このため、装着者Ｓは、例えば前方から車両が近づいてきた場合には、視覚によって車両の接近を認識できるが、視界の外である後方から車両が近づいてきた場合には、車両の接近を認識できないおそれがある。そこで、本実施形態では、上記した問題に対処すべく、第１スピーカユニットＳＰ１及び第２スピーカユニットＳＰ２が以下のように構成されている。
【００２６】
第１スピーカユニットＳＰ１では、図２に示したように、第１振動板１６が、基準線ＫＳより前方に配置されている。そして、第１振動板１６は、外部機器音（音楽プレーヤＯＰの音楽）を発信する方向を示す第１ベクトルＮＳ１が、基準線ＫＳに対して前方向きとなるように配置されている。この第１ベクトルＮＳ１は、第１振動板１６を二等分する二等分線であり、耳Ｅに向かうベクトルのことである。こうして、外部機器音は第１振動板１６から直線状に進み、装着者Ｓは前方側（正面側）に外部機器音の音源があるように感じ、外部機器音が前方側から発信されたように聴こえる。なお、第１振動板１６の配置について、図３に示した場合を例にして説明する。
【００２７】
図３（Ａ）に示した場合では、第１ベクトルＮＳ１が基準線ＫＳに対して前方向きとなるように配置されている。しかし、第１振動板１６は、耳Ｅに向けて外部機器音を発信するように配置されていない。従って、図３（Ａ）に示した場合は、本実施形態の第１振動板１６の配置に該当しない。一方、図３（Ｂ）に示した場合では、第１ベクトルＮＳ１が、基準線ＫＳに対して前方向きとなっていないが、基準線ＫＳに対して同一方向に延びて、第１振動板１６が耳Ｅに向けて外部機器音を発信するように配置されている。そこで、本実施形態の変形例として、第１振動板１６を図３（Ｂ）に示した配置にしても良い。また、図３（Ｃ）に示した場合では、第１ベクトルＮＳ１が基準線ＫＳに対して後方向きとなるように配置されている。このため、図３（Ｃ）に示した場合は、本実施形態の第１振動板１６の配置に該当しない。
【００２８】
一方、第２スピーカユニットＳＰ２では、第２に示したように、第２振動板１８が、基準線ＫＳより後方に配置されている。そして、第２振動板１８は、後方周囲音を発信する方向を示す第２ベクトルＮＳ２が、基準線ＫＳに対して後方向きとなるように配置されている。この第２ベクトルＮＳ２は、第２振動板１８を二等分する二等分線であり、耳Ｅに向かうベクトルのことである。こうして、後方周囲音は第２振動板１８から直線状に進み、装着者Ｓは後方側（背面側）に後方周囲音の音源があるように感じ、後方周囲音が後方側から発信されたように聴こえる。
【００２９】
ここで、本実施形態のヘッドホン１では、後方収音マイク１４によって収音された後方周囲音の音量（ｄＢ）が所定値以上であるか否かを判断する音量判断装置３０が設けられている。この音量判断装置３０は、ハウジング１３内に配置されていて、後方収音マイク１４と第１スピーカユニットＳＰ１と第２スピーカユニットＳＰ２とに接続されている。音量判断装置３０には、後方収音マイク１４によって収音された後方周囲音が入力されるようになっている。
【００３０】
この音量判断装置３０は、入力した後方周囲音の音量が予め定められた所定値（ｄＢ）以上であると判断したときには、第２スピーカユニットＳＰ２に警告信号を出力するようになっている。これにより、第２スピーカユニットＳＰ２では、入力された警告信号に基づいてボイスコイル１９に電流が流れ、第２振動板１８が、装着者Ｓの耳に向けて警告音を発信する。この結果、装着者Ｓは警告音が後方側から発信されたように聴こえる。なお、所定値（ｄＢ）とは、装着者Ｓの後方から車両が極めて接近している状態等、装着者Ｓに危険が差し迫っている状態を積極的に知らせるための基準となる音量値である。
【００３１】
更に、音量判断装置３０は、入力した後方周囲音の音量が所定値以上であると判断したときには、第１スピーカユニットＳＰ１に減少信号を出力するようになっている。これにより、第１スピーカユニットＳＰ１では、入力された減少信号に基づいてボイスコイル１７に流れる電流値が減少する。この結果、第１振動板１６が発信する外部機器音の音量が、第２振動板１８が発信する警告音の音量より小さくなるように、制御される。
【００３２】
本実施形態のヘッドホン１の作用効果について説明する。
先ず、音楽プレーヤＯＰで再生された音楽信号（電気信号）は、音声入力ジャック１５を介して第１スピーカユニットＳＰ１に入力される。これにより、第１振動板１６が振動して、第１振動板１６から外部機器音（音楽プレーヤＯＰの音楽）が発信される。
また、同時に、後方収音マイク１４が、装着者Ｓの後方で生じる後方周囲音を収音して、この後方周囲音に基づいて生成された後方入力信号が第２スピーカユニットＳＰ２に入力される。これにより、第２振動板１８が振動して、第２振動板１８から後方周囲音が発信される。
【００３３】
ところで、図２に示したように、第１振動板１６は、外部機器音を発信する方向を示す第１ベクトルＮＳ１が、基準線ＫＳに対して前方向きに延びるように配置されている。これに対し、第２振動板１８は、後方周囲音を発信する方向を示す第２ベクトルＮＳ２が、基準線ＫＳに対して後方向きに延びるように配置されている。このため、装着者Ｓは、ヘッドホン１を装着し且つ歩きながら、外部機器音が前方側から発信されたように聴こえ、後方周囲音が後方側から発信されたように聴こえる。従って、装着者Ｓは、外部機器音と後方周囲音とを明確に聴き分けることができて、視界の外である後方から例えば車両が近づいてくることを認識することができる。こうして、ヘッドホン１を装着した装着者Ｓは、聴くべき音（音楽プレーヤＯＰの音楽）を聴きつつ、その他の作業（歩行等）を安全に行うことができる。
【００３４】
また、本実施形態のヘッドホン１では、音量判断装置３０が後方収音マイク１４で収音された後方周囲音の音量が所定値以上であると判断したとき、第２スピーカユニットＳＰ２は第２振動板１８から警告音を発信する。これにより、装着者Ｓは警告音が後方側から発信されたように聴こえる。この結果、装着者Ｓの後方から車両が極めて接近している状態等、装着者Ｓに危険が差し迫っている状態を装着者Ｓに確実に知らせることができる。
【００３５】
また、本実施形態のヘッドホン１では、音量判断装置３０が後方収音マイク１４で収音された後方ノイズの音量が所定値以上であると判断したとき、第１スピーカユニットＳＰ１は、外部機器音（音楽プレーヤＯＰの音楽）の音量を警告音の音量より小さくする。これにより、装着者Ｓは警告音が聴き易くなり、より確実に装着者Ｓに注意を促すことができる。
【００３６】
次に、第２実施形態のヘッドホンについて、図４を用いて説明する。図４は、第２実施形態の右側のスピーカボックス１０Ｒを平面状に切ったときの断面図である。図４に示したように、第２実施形態のスピーカボックス１０Ｒは、第１実施形態で説明した各部材（イヤーパッド１１、バッフル板１２、ハウジング１３、後方収音マイク１４、音声入力ジャック１５、第１スピーカユニットＳＰ１、第２スピーカユニットＳＰ２）を備えるとともに、側方収音マイク３１と、第３スピーカユニットＳＰ３を備えている。
【００３７】
側方収音マイク３１は、周囲音を収音するものである。この側方収音マイク３１は、基準線ＫＳ上に配置されていて、特に、装着者Ｓの側方近傍で生じている側方周囲音を収音するようになっている。なお、側方収音マイク３１が配置される位置は、基準線ＫＳ上に限定されるものではなく、基準線ＫＳの近傍に配置されていても良い。ここで、側方周囲音とは、例えば装着者Ｓの真横から近づく車両や自転車の走行音等である。側方収音マイク３１は、収音した側方周囲音に基づいて側方入力信号を生成し、この側方入力信号を第３スピーカユニットＳＰ３に出力するようになっている。この側方収音マイク３１は、ハウジング１３の底壁１３ｃに組付けられていて、ハウジング１３の底壁１３ｃには、側方収音マイク３１が収音し易くなるように貫通孔１３ｄが形成されている。
【００３８】
第３スピーカユニットＳＰ３は、空気の振動によって音を発生するものである。この第３スピーカユニットＳＰ３は、基準線ＫＳ上に配置されていて、ドーム状の第３振動板３２と、第３振動板３２に巻き付いているボイスコイル３３と、磁界を形成する図示しないマグネットとを有している。この第３スピーカユニットＳＰ３では、側方収音マイク３１から入力された側方入力信号に基づいてボイスコイル３３に電流が流れると、第３振動板３２が波打つように振動する。これにより、第３振動板３２が、装着者Ｓの耳に向けて側方周囲音を発信するようになっている。
【００３９】
ここで、第３スピーカユニットＳＰ３では、図４に示したように、第３振動板３２は、側方周囲音を発信する方向を示す第３ベクトルＮＳ３が、基準線ＫＳに対して同一方向に延びるように配置されている。この第３ベクトルＮＳ３は、第３振動板３２を二等分する二等分線であり、耳Ｅに向かうベクトルである。そして、第３振動板３２は、第３ベクトルＮＳ３が、上記した第１ベクトルＮＳ１より後方向きで且つ上記した第２ベクトルＮＳ２より前方向きに延びるように配置されている。こうして、装着者Ｓは、外部機器音（音楽プレーヤＯＰの音楽）が前方側から発信されたように聴こえ、側方周囲音が側方から発信されたように聴こえ、後方周囲音が後方側から発信されたように聴こえる。第２実施形態のその他の構成は、第１実施形態の構成と実質的に同一であるため、その説明を省略する。
【００４０】
第２実施形態の作用効果について説明する。第２実施形態では、装着者Ｓは、外部機器音、側方周囲音、後方周囲音が、前方側、側方、後方側からそれぞれ発信されたように聴こえる。このため、装着者Ｓは、後方から車両等が近づいてきた場合だけでなく、視界の外である横方向から車両等が近づいてきても、側方（真横）近傍の側方周囲音を認識することができ、より安全に歩行等を行うことができる。第２実施形態のその他の作用効果は、第１実施形態の作用効果と実質的に同一であるため、その説明を省略する。
【００４１】
以上、本発明に係るヘッドホン１について説明したが、本発明はこれに限定されることはなく、その趣旨を逸脱しない範囲で様々な変更が可能である。
例えば、各実施形態において音量判断装置３０を設けたが、音量判断装置３０を設けなくても良い。
また、各実施形態において、装着者Ｓが、ヘッドホン１を装着して音楽プレーヤＯＰで音楽を聴きながら歩行している場合について説明したが、ヘッドホン１を装着する状況は上記した場合に限定されるものではなく適宜変更可能である。例えば、作業機が大きな音を発する工場や工事現場で、作業者がヘッドホンを装着して、ヘッドホンを介して伝わる無線通信の指示（音声）で作業を行う場合であっても良い。この場合には、装着者は、無線通信の指示が前方側又は側方から発信されたように聴こえ、後方周囲音が後方側から発信されたように聴こえる。なお、無線通信の音声信号が本発明の外部機器から入力される外部入力信号に相当し、後方周囲音とは作業者（装着者）の背後から近づく構内作業車の走行音や他の作業者が駆け寄ってくる音等である。
【００４２】
また、各実施形態において、ヘッドホン１は、左右のスピーカボックス１０Ｌ，１０Ｒが装着者Ｓの耳Ｅに対して覆うように装着されるオーバーヘッド型のヘッドホンであるが、ヘッドホンの形式は、オーバーヘッド型に限定されるものではなく適宜変更可能である。例えば、左右のスピーカボックス１０Ｌ，１０Ｒを装着者Ｓの耳Ｅに対して引っ掛けるように装着する耳掛け型のヘッドホンであっても良く、左右のスピーカボックス１０Ｌ，１０Ｒを耳の中へ耳栓のように差し込むインナーイヤー型のヘッドホンであっても良い。
【符号の説明】
【００４３】
１                        ヘッドホン
１０Ｌ，１０Ｒ            スピーカボックス
１１                      イヤーパッド
１２                      バッフル板
１３                      ハウジング
１４                      後方収音マイク
１５                      音声入力ジャック
１６                      第１振動板
１７                      ボイスコイル
１８                      第２振動板
１９                      ボイスコイル
ＳＰ１                    第１スピーカユニット
ＳＰ２                    第２スピーカユニット
ＳＰ３                    第３スピーカユニット
ＫＳ                      基準線
ＮＳ１，ＮＳ２，ＮＳ３    第１ベクトル，第２ベクトル，第３ベクトル
３０                      音量判断装置
３１                      側方収音マイク
３２                      第３振動板
３３                      ボイスコイル
【図１】
0005781449.tif 000002
【図２】
0005781449.tif 000003
【図３】
0005781449.tif 000004
【図４】
0005781449.tif 000005
【図５】
0005781449.tif 000006